(57)【要約】【課題】ガラスが破壊される際に、併せてガラス破壊センサ送信器が破壊された場合においても、異常を検知して警報を出力することができるガラス破壊センサ装置を提供することを課題とするものである。【解決手段】ガラス破壊センサ装置は、窓ガラス１０１の破壊を検知する振動検知部１１と、無線発報を行う無線通信部１２と、振動検知部１１からの検知結果に基づいて無線通信部１２へ無線発報を行うように命令する主制御部１３とを有するガラス破壊センサ送信器１と、前記無線発報を受信するガラス破壊センサ受信器２とを備え、無線通信部１２は、窓ガラス１０１の破壊を検知する前には、定期的に前記無線発報を繰り返しており、窓ガラス１０１の破壊を検知した後には、前記無線発報を停止するものであり、ガラス破壊センサ受信器２は、前記無線発報が受信されなくなった場合に報知するものである。【選択図】図１
2008204376.tif 000002
【特許請求の範囲】
【請求項１】
室内外を仕切るガラス板の破壊を検知する振動検知部と、無線発報を行う無線通信部と、振動検知部からの検知結果に基づいて無線通信部へ無線発報を行うように命令する主制御部とを有するガラス破壊センサ送信器と、前記無線発報を受信するガラス破壊センサ受信器とを備え、無線通信部は、振動検知部が前記ガラス板の破壊を検知する前には、定期的に前記無線発報を繰り返しており、振動検知部が前記ガラス板の破壊を検知した後には、前記無線発報を停止するものであり、ガラス破壊センサ受信器は、前記無線発報が受信されなくなった場合に報知するものであることを特徴とするガラス破壊センサ装置。
【請求項２】
ガラス破壊センサ送信器が複数あり、無線通信部は、前記無線発報の信号に固有の識別情報信号を含んで発報するものであり、ガラス破壊センサ受信器は、受信した前記識別情報信号より各個別にガラス破壊センサ送信器を識別する制御部を有することを特徴とする請求項１記載のガラス破壊センサ装置。
【発明の詳細な説明】
【技術分野】
【０００１】
本願発明は、ガラスの破壊を検知して報知するガラス破壊センサ装置に関する。
【背景技術】
【０００２】
従来から、特開２０００−４８２６８号公報に示されているように、窓ガラスやガラス扉など室内外を仕切るガラス板に取り付けられ、室内に侵入しようとする者がガラス板を破壊したときにこれを検知して音や光によって報知する防犯用のガラス破壊センサ装置が提供されている。この種のガラス破壊センサ装置は、振動検知手段としてガラス板の振動を電圧信号に変換する振動センサを用い、振動センサの出力信号から抽出した所定の周波数成分について閾値と比較することでガラス破壊を検知しており、ガラス破壊を検知すると警報を出力する。
【特許文献１】特開２０００−４８２６８号公報
【発明の開示】
【発明が解決しようとする課題】
【０００３】
上記従来例であるガラス破壊センサ装置にあっては、ガラスが破壊される際に、併せてガラス破壊センサ送信器も破壊された場合には、ガラス破壊を検知して警報を出力することができず、防犯装置としての機能を果たすことができなくなるという問題があった。
【０００４】
本願発明は、上記背景技術に鑑みて発明されたものであり、その目的は、ガラスが破壊される際に、併せてガラス破壊センサ送信器が破壊された場合においても、異常を検知して警報を出力することができるガラス破壊センサ装置を提供することを課題とするものである。
【課題を解決するための手段】
【０００５】
上記課題を解決するために、本願請求項１記載の発明では、室内外を仕切るガラス板の破壊を検知する振動検知部と、無線発報を行う無線通信部と、振動検知部からの検知結果に基づいて無線通信部へ無線発報を行うように命令する主制御部とを有するガラス破壊センサ送信器と、前記無線発報を受信するガラス破壊センサ受信器とを備え、無線通信部は、振動検知部が前記ガラス板の破壊を検知する前には、定期的に前記無線発報を繰り返しており、振動検知部が前記ガラス板の破壊を検知した後には、前記無線発報を停止するものであり、ガラス破壊センサ受信器は、前記無線発報が受信されなくなった場合に報知するものであることを特徴としている。
【０００６】
本願請求項２記載の発明では、上記請求項１記載のガラス破壊センサ装置において、ガラス破壊センサ送信器が複数あり、無線通信部は、前記無線発報の信号に固有の識別情報信号を含んで発報するものであり、ガラス破壊センサ受信器は、受信した前記識別情報信号より各個別にガラス破壊センサ送信器を識別する制御部を有することを特徴としている。
【発明の効果】
【０００７】
本願請求項１記載の発明のガラス破壊センサ装置においては、無線通信部は、振動検知部が室内外を仕切るガラス板の破壊を検知する前には、定期的に前記無線発報を繰り返しており、振動検知部が前記ガラス板の破壊を検知した後には、前記無線発報を停止するものであり、ガラス破壊センサ受信器は、前記無線発報が受信されなくなった場合に報知するものであるので、ガラス破壊センサ受信器は、前記無線発報の停止によって前記ガラス板が破壊されたことを認識することができる。さらに、前記ガラス板が破壊された際に、ガラス破壊センサ送信器も併せて破壊された場合においても無線発報が停止するので、ガラス破壊センサ受信器は、ガラス破壊センサ送信器が破壊されているにも関わらず、前記ガラス板の破壊を認識することができる。
【０００８】
本願請求項２記載の発明のガラス破壊センサ装置においては、特に、無線通信部は、前記無線発報の信号に固有の識別情報信号を含んで発報するものであり、ガラス破壊センサ受信器は、受信した前記識別情報信号より各個別にガラス破壊センサ送信器を識別する制御部を有するので、ガラス破壊センサ受信器は、複数のガラス破壊センサ送信器を個別に認識することができ、複数のガラスの破壊を１台のガラス破壊センサ受信器で管理することができる。
【発明を実施するための最良の形態】
【０００９】
図１〜図４は、本願発明の実施形態であるガラス破壊センサ装置を示している。ガラス破壊センサ装置は、室内外を仕切りガラス板である窓ガラス１０１の破壊を検知する振動検知部１１と、無線発報を行う無線通信部１２と、振動検知部１１からの検知結果に基づいて無線通信部１２へ無線発報を行うように命令する主制御部１３とを有するガラス破壊センサ送信器１と、前記無線発報を受信するガラス破壊センサ受信器２とを備え、無線通信部１２は、振動検知部１１が窓ガラス１０１の破壊を検知する前には、定期的に前記無線発報を繰り返しており、振動検知部１１が窓ガラス１０１の破壊を検知した後には、前記無線発報を停止するものであり、ガラス破壊センサ受信器２は、前記無線発報が受信されなくなった場合に報知するものである。また、ガラス破壊センサ送信器１が複数あり、無線通信部１２は、前記無線発報の信号に固有の識別情報信号を含んで発報するものであり、ガラス破壊センサ受信器２は、受信した前記識別情報信号より各個別にガラス破壊センサ送信器１を識別する制御部２２を有する。
【００１０】
以下、この実施形態のガラス破壊センサ装置をより具体的詳細に説明する。図１及び図２に示すように、ガラス戸１００は、一辺に窓フレーム１０２が配設されている２枚の窓ガラス１０１で構成されており、２枚の窓ガラス１０１をスライドすることによってガラス戸１００は開閉することができるものである。ここで、図１はガラス戸１００の閉状態を示しており、図２はガラス戸１００の開状態を示している。ガラス破壊センサ送信器１は、一方の窓ガラス１０１の窓フレーム１０２に隣接して設置されており、他方の窓ガラス１０１の窓フレーム１０２には磁石３０が設置されている。
【００１１】
図３に示すように、ガラス破壊センサ送信器１は、窓ガラス１０１の破壊を検知する振動検知部１１と、ガラス破壊センサ受信機２への無線発報を行う無線通信部１２と、ガラス戸１００の開閉を検知する開閉検知部１４と、各部で検知された情報を処理する主制御部１３と、種々データが保存されているメモリ部１６とを備えている。
【００１２】
振動検知部１１は、窓ガラス１０１が破壊された場合に発生する振動を検知することができる振動センサ１１１を備え、振動センサ１１１によって検知された振動を、振動検知回路１１２を介し検知信号として主制御部１３へ送信する。ここで、振動センサ１１１には、振動を電圧信号に変換する超音波マイク等を用い、振動センサ１１１によって発生した電圧信号を振動検知回路１１２によって増幅する。主制御部１３は、増幅した電圧信号を振動検知回路１１２より受信し、この電圧信号から抽出した所定の周波数成分の振幅を閾値と比較して窓ガラス１０１の破壊を判断するものである。
【００１３】
無線通信部１２は、無線通信回路１２１と無線通信アンテナ１２２とで構成されており、無線通信回路１２１は、主制御部１３よりガラス破壊センサ受信器２へ無線発報を行うことの命令を受信した場合に、定期的な無線発報を行う処理を行う。この定期的な無線発報には、メモリ部１６に予め設定されているガラス破壊センサ送信器の識別情報信号を含ませて送信する。無線通信アンテナ１２２は、無線通信回路１２１からの送信信号によって、ガラス破壊受信器２へ無線発報を送信するものである。
【００１４】
開閉検知部１４は、磁石３０の磁気を検知することでガラス戸１００の開閉を検知することができるリードスイッチ１５の信号を処理して、主制御部１３へ送信するものである。
【００１５】
図４に示すように、ガラス破壊センサ受信器２は、ガラス破壊センサ送信器１からの無線発報を受信する無線通信アンテナ２５と、無線通信アンテナ２５で受信した信号を処理して制御部２２へ送信する無線通信回路２１と、無線通信回路２１より受信した信号より、検知内容及びガラス破壊センサ送信器１の特定を行う制御部２２と、種々データが保存されているメモリ部２６と、制御部２２で行った判断結果を出力する出力部２３とを備えている。
【００１６】
無線通信アンテナ２５は、ガラス破壊センサ送信器１からの無線発報を受信するものである。無線通信回路２１は、無線通信アンテナ２５と電気的に接続されており、受信した信号を処理した上で、制御部２２へ信号を送信する。
【００１７】
制御部２２は、無線通信回路２１から受信した信号を処理して、受信の有無を判断し、判断結果を出力部２３へ送信する。ここで、ガラス板を有する複数の戸や窓にそれぞれガラス破壊センサ送信器１を設置している場合、それぞれのガラス破壊センサ送信器１からの無線発報がガラス破壊センサ受信器２へ送信される。ガラス破壊センサ受信器２は、各ガラス破壊センサ送信器１からの信号を分析して識別情報を取得することによって、どのガラス破壊センサ送信器１からの信号であるかの判断を行うことができる。
【００１８】
出力部２３は、制御部２２から受信した情報により、ガラス戸１００の状態について外部へ出力するものである。出力形態としては、音、ＬＥＤの点灯、液晶表示、外部端末との通信接続による出力などができるものである。
【００１９】
次に窓ガラス１０１が破壊された場合の動作について説明する。図５に示すように、ガラス破壊センサ送信器１は、無線通信部１２によって、ガラス破壊センサ受信器２へ定期的に無線発報を行っている。
【００２０】
ガラス破壊センサ受信器２は、ガラス破壊センサ送信器１からの定期的な無線発報を受信している場合、制御部２２によって窓ガラス１０１は破壊されていない状態であると判断する。制御部２２は、窓ガラス１０１が破壊されていない情報を出力部２３へ送信し、出力部２３は、窓ガラス１０１が破壊されていない状態であることを出力する。
【００２１】
窓ガラス１０１が破壊された場合、窓ガラス１０１の破壊による振動が発生する。その振動を窓ガラス１０１の表面に設置されている振動センサ１１１が検出し、窓ガラス１０１の破壊を検知することができる。振動センサ１１１は、窓ガラス１０１の振動を検出すると一定の電圧信号を発生する。この電圧信号は、振動検知回路１１２によって増幅されて主制御部１３へ送信される。主制御部１３は、振動検知回路１１２より窓ガラス１０１が破壊された信号を受信すると、無線通信部１２へ定期的に行っている無線発報を停止する命令を送信する。
【００２２】
ガラス破壊センサ受信器２は、ガラス破壊センサ送信器１からの定期的な無線発報を受信しなくなった場合、制御部２２によって窓ガラス１０１が破壊されたと判断する。制御部２２は、窓ガラス１０１が破壊された警報情報を出力部２３へ送信し、出力部２３は、窓ガラス１０１が破壊されたことを警報音やＬＥＤ点灯などで出力する。
【００２３】
また、複数のガラス戸１００にそれぞれガラス破壊センサ送信器１が設置されている場合、制御部２２は、各ガラス破壊センサ送信器１の識別情報信号によって、ガラス破壊センサ送信器１を個別に識別することができる。各識別情報信号の内容については、予めメモリ部２６に保存されており、制御部２２は、メモリ部２６より識別情報信号の内容を取得して識別処理を行っている。このことによって、どのガラス戸１００の窓ガラス１０１が破壊されたかを判断することができ、出力部２３には、どのガラス戸１００の窓ガラス１０１が破壊されたか否かを出力することができる。
【００２４】
次にガラス破壊センサ送信器１が破壊された場合の動作について説明する。ガラス破壊センサ送信器１が破壊された場合、無線通信部１２によって定期的に行っている無線発報を行うことができなくなる。
【００２５】
ガラス破壊センサ受信器２は、ガラス破壊センサ送信器１からの定期的な無線発報を受信しなくなった場合、制御部２２によって窓ガラス１０１が破壊されたと判断する。よって、制御部２２は、ガラス破壊センサ送信器１が破壊された場合にも窓ガラス１０１が破壊されたとして、出力部２３へ警報情報を送信する。出力部２３は、警報音やＬＥＤ点灯などで警報出力することができる。
【００２６】
また、複数のガラス戸１００にそれぞれガラス破壊センサ送信器１が設置されている場合、制御部２２は、各ガラス破壊センサ送信器１の識別情報信号によって、ガラス破壊センサ送信器１を個別に識別することができる。このことによって、どのガラス戸１００の窓ガラス１０１が破壊されたかを判断することができ、出力部２３には、どのガラス戸１００のガラス破壊センサ送信器１が破壊されたかを出力することができる。
【００２７】
したがって、主制御部１３は、窓ガラス１０１の破壊を検知する前には、無線通信部１２へ定期的に無線発報を繰り返し行うように命令し、窓ガラス１０１の破壊を検知した後には、前記無線発報を停止するように命令するものであるので、ガラス破壊センサ受信器２は、前記無線発報の停止によって窓ガラス１０１が破壊されたことを認識することができる。さらに、窓ガラス１０１が破壊された際に、ガラス破壊センサ送信器１も併せて破壊された場合においても無線発報が停止するので、ガラス破壊センサ受信器２は、ガラス破壊センサ送信器１が破壊されているにも関わらず、窓ガラス１０１の破壊を認識することができる。また、ガラス破壊センサ送信器１の故障により、定期的な無線発報が停止した場合にも、出力部２３は警報出力するので、ガラス破壊センサ送信器１の故障を早期に発見することができる。
【００２８】
さらに、無線通信部１２は、前記無線発報の信号に固有の識別情報信号を含んで発報するものであり、ガラス破壊センサ受信器２は、受信した前記識別情報信号より各個別にガラス破壊センサ送信器１を識別する制御部２２を有するので、ガラス破壊センサ受信器２は、複数のガラス破壊センサ送信器１を個別に認識することができ、複数の窓ガラス１０１の破壊を１台のガラス破壊センサ受信器２で管理することができる。
【００２９】
また、ガラス破壊センサ送信器１は、ガラス戸１００の開閉を検知する機能を搭載している。図１はガラス戸１００の閉状態を示しており、図２はガラス戸１００の開状態を示している。ガラス破壊センサ送信器１は、一方の窓ガラス１０１の窓フレーム１０２に隣接して設置されており、他方の窓ガラス１０１の窓フレーム１０２には磁石３０が設置されている。
【００３０】
次にガラス戸１００の開閉を検知する場合の動作について説明する。図１に示すように、ガラス戸１００を閉じている状態では、ガラス破壊センサ送信器１が設置されている窓ガラス１０１と対になっている他方の窓ガラス１０１の一辺に配設されている窓フレーム１０２に設置されている磁石３０と、ガラス破壊センサ送信器１との距離は近く、磁石３０の磁力をリードスイッチ１５によって検知することができる。この場合には、主制御部１３はガラス戸１００が閉状態であると判断し、無線通信部１２は、定期的な無線発報を継続する。
【００３１】
ガラス破壊センサ受信器２は、ガラス破壊センサ送信器１からの定期的な無線発報を受信している場合、制御部２２によって窓ガラス１０１は閉められている状態であると判断する。制御部２２は、窓ガラス１０１が閉められている状態である情報を出力部２３へ送信する。
【００３２】
一方、図２に示すように、ガラス戸１００が開けられた場合、磁石３０とガラス破壊センサ送信器１との距離が遠くなるため、リードスイッチ１５は磁石３０の磁力を検知することができなくなる。この場合には、主制御部１３はガラス戸１００が開状態であると判断し、無線通信部１２へ定期的に行っている無線発報を停止する命令を送信する。
【００３３】
ガラス破壊センサ受信器２は、ガラス破壊センサ送信器１からの定期的な無線発報を受信しなくなった場合、制御部２２によって窓ガラス１０１が開かれた状態であると判断する。制御部２２は、窓ガラス１０１が開かれた警報情報を出力部２３へ送信し、出力部２３は、窓ガラス１０１が開かれたことを警報音やＬＥＤ点灯などで出力する。
【００３４】
なお、本実施形態では、ガラス破壊センサ送信器１が、ガラス戸１００の開閉を検出する機能も併せて有しているものを示したが、開閉検知部１４及びリードスイッチ１５を備えず開閉検知機能を有さないガラス破壊センサ送信器１であってもよい。この場合には、磁石３０も不要である。
【００３５】
また、ガラス破壊センサ送信器１が破壊及び開閉の検知をする機能を共に搭載している場合には、窓ガラス１０１が破壊されていない状態であること及びガラス戸１００が閉状態であることの２種の信号を無線発報信号に含ませることによって、ガラス破壊センサ受信器２は、それぞれの異常状態を識別して判断することができる。
【図面の簡単な説明】
【００３６】
【図１】本願発明の実施形態であるガラス破壊センサ装置におけるガラス破壊センサ送信器の開閉構造物（閉状態）への設置状態を示した（ａ）上面図と（ｂ）正面図である。
【図２】同ガラス破壊センサ装置におけるガラス破壊センサ送信器の開閉構造物（開状態）への設置状態を示した（ａ）上面図と（ｂ）正面図である。
【図３】同ガラス破壊センサ装置におけるガラス破壊センサ送信器の構成を示すブロック構成図である。
【図４】同ガラス破壊センサ装置におけるガラス破壊センサ受信器の構成を示すブロック構成図である。
【図５】同ガラス破壊センサ装置におけるガラス破壊センサ送信器及びガラス破壊センサ受信機の無線発報の送受信を時間経過であらわした説明図である。
【符号の説明】
【００３７】
１  ガラス破壊センサ送信器
１１  振動検知部
１２  無線通信部
１３  主制御部
２  ガラス破壊センサ受信器
２１  制御部
１０１  窓ガラス
【図１】
2008204376.tif 000003
【図２】
2008204376.tif 000004
【図３】
2008204376.tif 000005
【図４】
2008204376.tif 000006
【図５】
2008204376.tif 000007